(57)【要約】【課題】締め付け感がなく、装着性に優れるとともに、吸収効率が良く、漏れが防止できるようにする。【解決手段】吸収体４は、外形が円形又は楕円形からなり、肌当接面に、吸収体４の中心より周縁側に偏倚した位置において、全周に亘って厚み方向に窪む底面部１０と、前記底面部１０から前記吸収体４の周縁部に向かって肌当接面側に傾斜する傾斜面部１１とによって画成された陰茎の収容空間１２が形成されている。前記収容空間１２の深さＡは前記吸収体４の厚みＢより小さく、且つ前記吸収体４の厚みＢが最低１０ｍｍであり、前記収容空間１２の深さＡが最低８ｍｍである。【選択図】図２
2019058236.tif 000002
【特許請求の範囲】
【請求項１】
少なくとも吸収体を備えた男性用吸収性物品であって、
前記吸収体は、外形が円形又は楕円形からなり、肌当接面に、前記吸収体の中心より周縁側に偏倚した位置において、全周に亘って厚み方向に窪む底面部と、前記底面部から前記吸収体の周縁部に向かって肌当接面側に傾斜する傾斜面部とによって画成された陰茎の収容空間が形成され、
前記収容空間の深さは前記吸収体の厚みより小さく、且つ前記吸収体の厚みが最低１０ｍｍであり、前記収容空間の深さが最低８ｍｍであることを特徴とする男性用吸収性物品。
【請求項２】
前記吸収体の主要部は、積繊体からなる請求項１記載の男性用吸収性物品。
【請求項３】
前記底面部が偏倚した側の前記傾斜面部の傾斜角より、これと反対側の前記傾斜面部の傾斜角の方が緩やかな角度で形成されている請求項１、２いずれかに記載の男性用吸収性物品。
【請求項４】
前記傾斜面部は、肌当接面側に膨出する曲面状に形成されている請求項１〜３いずれかに記載の男性用吸収性物品。
【請求項５】
前記底面部が偏倚した側と反対側の前記傾斜面部には、前記底面部又はその近傍から前記吸収体の周縁部に向けて延びる１又は複数のエンボス溝が形成されている請求項１〜４いずれかに記載の男性用吸収性物品。
【請求項６】
前記吸収体の外形は楕円形からなり、前記楕円形の短軸寸法に対する長軸寸法の比率が１を超え１．２以下に形成されている請求項１〜５いずれかに記載の男性用吸収性物品。
【請求項７】
前記吸収体の非肌当接面は、外側に膨出する曲面状に形成されている請求項１〜６いずれかに記載の男性用吸収性物品。
【請求項８】
前記吸収体は、パルプと高吸水性樹脂とを含み、
前記底面部が偏倚した側と反対側の吸収体部分は、前記高吸水性樹脂より前記パルプの方が多く存在し、前記底面部が偏倚した側の吸収体部分は、前記パルプより前記高吸水性樹脂の方が多く存在している請求項１〜７いずれかに記載の男性用吸収性物品。
【請求項９】
前記底面部が偏倚した側と反対側の吸収体部分は、前記底面部寄り部分より周縁部寄り部分の方が繊維密度が高く形成されている請求項１〜８いずれかに記載の男性用吸収性物品。
【請求項１０】
前記男性用吸収性物品の非肌当接面には、周方向に沿って均等にズレ止め粘着剤層が配置されている請求項１〜９いずれかに記載の男性用吸収性物品。
【請求項１１】
前記吸収体は、１層からなるか、前記底面部より下層側に配置される下層吸収体と前記底面部より上層側に配置される上層吸収体との２層からなる請求項１〜１０いずれかに記載の男性用吸収性物品。
【請求項１２】
前記吸収体は、前記下層吸収体の繊維密度が前記上層吸収体の繊維密度より高く設定される構成、前記下層吸収体が２層の不織布シート間に高吸水性樹脂が配置されたポリマーシートからなる構成又は前記下層吸収体が親水性の不織布シートからなる構成を備えている請求項１１記載の男性用吸収性物品。
【発明の詳細な説明】
【技術分野】
【０００１】
本発明は、特に男性の軽失禁用に適した失禁パッドなどの男性用吸収性物品に係り、詳しくは下着着用時に人によって異なる陰茎の向きに合わせて装着できるようにした男性用吸収性物品に関する。
【背景技術】
【０００２】
従来より、男性用吸収性物品として、下着着用時の陰茎の向きが人によって異なることを考慮して、どの方向に向いても対応できるように面積を大きくしたものが知られている。しかしながら、面積が大きいために、男性用吸収性物品が脚の付け根や股間周辺の肌に当たって装着感が悪化したり、下着からはみ出て見栄えが悪くなったりするなどの問題があり、小さな面積の吸収性物品が望まれていた。
【０００３】
下記特許文献１、２などでは、吸収性物品の肌当接面に、凹部や凹状の空間を設けることにより、陰茎をこれらの空間内に収容するようにした男性用吸収性物品が開示されている。
【０００４】
詳細には、下記特許文献１では、上層吸収体と下層吸収体との２層の吸収構造体を具備し、前記上層吸収体が実質的に存在しておらず且つ周辺部よりも厚み方向に凹んだ凹部が、吸収性物品を長手方向に二分する仮想中央線よりも腹側部側に形成されており、該凹部は、男性器の陰茎及び陰嚢の両部分を収容可能な大きさを有している吸収性物品が開示されている。
【０００５】
また、下記特許文献２では、一の方向に沿って形成された少なくとも二本の折り曲げ線によって、二箇所以上で折り畳まれており、且つ、前記一の方向の少なくとも一方の端部側における折り曲げ状態を維持するように構成された折り曲げ維持部を有し、使用時において、折り畳み状態が解除されて吸収性本体の折り畳み部位が前記一の方向の少なくとも一方の端部側における折り曲げ状態を維持した状態で展開されることにより、吸収性本体のトップシートが配置された面側に凹状の空間が形成されるように構成されている男性用尿パッドが開示されている。
【先行技術文献】
【特許文献】
【０００６】
【特許文献１】特開２００９−１２５３３８号公報
【特許文献２】特開２０１０−１７２６５０号公報
【発明の概要】
【発明が解決しようとする課題】
【０００７】
しかしながら、上記特許文献１、２記載の吸収性物品では、凹部や凹状の空間内に陰茎を収容するため、吸収性物品を装着しない通常のときと比べて異なる向きで陰茎が拘束される場合があり、陰茎の締め付け感が生じ、装着性が悪かった。
【０００８】
また、上記特許文献１、２記載の吸収性物品では、凹部内又は凹状の空間内に陰茎が収容されるものの、この空間内における排尿位置は一定でないため、排尿位置によっては特定の部位に尿が集中して、吸収効率が悪くなり、漏れの原因となるおそれがあった。
【０００９】
そこで本発明の主たる課題は、締め付け感がなく、装着性に優れるとともに、吸収効率が良く、漏れを防止した男性用吸収性物品を提供することにある。
【課題を解決するための手段】
【００１０】
上記課題を解決するために請求項１に係る本発明として、少なくとも吸収体を備えた男性用吸収性物品であって、
前記吸収体は、外形が円形又は楕円形からなり、肌当接面に、前記吸収体の中心より周縁側に偏倚した位置において、全周に亘って厚み方向に窪む底面部と、前記底面部から前記吸収体の周縁部に向かって肌当接面側に傾斜する傾斜面部とによって画成された陰茎の収容空間が形成され、
前記収容空間の深さは前記吸収体の厚みより小さく、且つ前記吸収体の厚みが最低１０ｍｍであり、前記収容空間の深さが最低８ｍｍであることを特徴とする男性用吸収性物品が提供される。
【００１１】
上記請求項１記載の発明では、男性用吸収性物品の装着向きを任意の方向に回転して、吸収体の中心から偏倚した位置に形成される前記収容空間の底面部を、下着内における通常の陰茎の先端が位置する方向に合わせて配置することにより、人によって異なる陰茎の向きに合わせて男性用吸収性物品を装着することが可能となる。このとき、下着内における通常の陰茎の位置に合わせて男性用吸収性物品の装着向きを調整しているため、男性用吸収性物品を装着した状態で、通常の陰茎の位置と異なる位置で装着したときなどに生じる陰茎の締め付け感がなく、装着性に極めて優れるようになる。また、前記収容空間が前記吸収体の厚みの範囲内に形成され、且つ陰茎を収容するのに十分な大きさの空間が確保されているため、下着内に男性用吸収性物品を装着した状態でも、前記収容空間が保持されやすく、締め付け感がなく装着性に優れた状態が持続的に維持されるようになる。
【００１２】
また、下着内における通常の陰茎の向きに合わせて男性用吸収性物品を配置しているため、吸収体の一定の部位に常に陰茎の先端が位置することとなり、この陰茎の先端が位置する吸収体の特定部分に、体液の拡散性を向上させる対策や、吸収効率を向上させる対策などを施すことによって、確実に吸収効率が向上し、漏れが防止できるようになる。
【００１３】
請求項２に係る本発明として、前記吸収体の主要部は、積繊体からなる請求項１記載の男性用吸収性物品が提供される。
【００１４】
上記請求項２記載の発明では、前記吸収体の主要部を積繊体で構成することによって、陰茎を収容するのに十分な大きさの前記収容空間が確実に形成できるようにしている。前記吸収体の主要部とは、前記収容空間を形成するのに必要な部分を構成するものであり、少なくとも前記底面部より肌当接面側の部分を含むものである。
【００１５】
請求項３に係る本発明として、前記底面部が偏倚した側の前記傾斜面部の傾斜角より、これと反対側の前記傾斜面部の傾斜角の方が緩やかな角度で形成されている請求項１、２いずれかに記載の男性用吸収性物品が提供される。
【００１６】
上記請求項３記載の発明では、前記傾斜面部の傾斜角度を、前記底面部が偏倚した側の傾斜角よりこれと反対側の傾斜角の方が緩やかな角度で形成しているため、この緩やかな角度で形成された傾斜面部で陰茎を柔らかく保持することが可能となる。
【００１７】
請求項４に係る本発明として、前記傾斜面部は、肌当接面側に膨出する曲面状に形成されている請求項１〜３いずれかに記載の男性用吸収性物品が提供される。
【００１８】
上記請求項４記載の発明では、前記傾斜面部を肌当接面側に膨出する曲面状に形成しているため、前記傾斜面部におけるクッション性が向上し、陰茎を収容空間内に収容した状態を柔らかく保持できるようになる。
【００１９】
請求項５に係る本発明として、前記底面部が偏倚した側と反対側の前記傾斜面部には、前記底面部又はその近傍から前記吸収体の周縁部に向けて延びる１又は複数のエンボス溝が形成されている請求項１〜４いずれかに記載の男性用吸収性物品が提供される。
【００２０】
上記請求項５記載の発明では、前記収容空間の底面部に排出された尿を、前記底面部が偏倚した側と反対側の傾斜面部に形成された前記エンボス溝に沿って拡散させることにより、吸収体の特定の部分に尿が集中せず、吸収効率の向上及び漏れ防止を図ることが可能となる。
【００２１】
請求項６に係る本発明として、前記吸収体の外形は楕円形からなり、前記楕円形の短軸寸法に対する長軸寸法の比率が１を超え１．２以下に形成されている請求項１〜５いずれかに記載の男性用吸収性物品が提供される。
【００２２】
上記請求項６記載の発明では、吸収体の外形を楕円形で形成した場合において、前記楕円形の短軸寸法に対する長軸寸法の比率を所定の範囲内で形成することにより、男性用吸収性物品の装着向きを任意に回転したときでもほぼ一定の装着感が得られるようにしている。
【００２３】
請求項７に係る本発明として、前記吸収体の非肌当接面は、外側に膨出する曲面状に形成されている請求項１〜６いずれかに記載の男性用吸収性物品が提供される。
【００２４】
上記請求項７記載の発明では、前記吸収体の非肌当接面を外側に膨出する曲面状に形成することにより、男性用吸収性物品を装着しているのが外部から目立ちにくくしている。
【００２５】
請求項８に係る本発明として、前記吸収体は、パルプと高吸水性樹脂とを含み、
前記底面部が偏倚した側と反対側の吸収体部分は、前記高吸水性樹脂より前記パルプの方が多く存在し、前記底面部が偏倚した側の吸収体部分は、前記パルプより前記高吸水性樹脂の方が多く存在している請求項１〜７いずれかに記載の男性用吸収性物品が提供される。
【００２６】
上記請求項８記載の発明は、前記収容空間の底面部に排出された尿をより効率的に吸収及び拡散するための手段であり、前記底面部が偏倚した側と反対側の吸収体部分にパルプを多く配置することにより、この方向に素早く尿が拡散できるようにし、前記底面部が偏倚した側の吸収体部分に高吸水性樹脂を多く配置することにより、この部分における尿の吸収量を確保している。
【００２７】
請求項９に係る本発明として、前記底面部が偏倚した側と反対側の吸収体部分は、前記底面部寄り部分より周縁部寄り部分の方が繊維密度が高く形成されている請求項１〜８いずれかに記載の男性用吸収性物品が提供される。
【００２８】
上記請求項９記載の発明は、前記収容空間の底面部に排出された尿を、底面部が偏倚した側と反対側の吸収体部分に効率的に拡散するための手段であり、吸収体の繊維密度差に伴う液の毛管作用により、繊維の疎の部分から密の部分への体液の拡散を促進している。
【００２９】
請求項１０に係る本発明として、前記男性用吸収性物品の非肌当接面には、周方向に沿って均等にズレ止め粘着剤層が配置されている請求項１〜９いずれかに記載の男性用吸収性物品が提供される。
【００３０】
上記請求項１０記載の発明では、前記男性用吸収性物品の装着向きをどの方向にしても確実に下着に固定できるように、下着との固定を図るズレ止め粘着剤層を周方向に沿って均等に配置している。
【００３１】
請求項１１に係る本発明として、前記吸収体は、１層からなるか、前記底面部より下層側に配置される下層吸収体と前記底面部より上層側に配置される上層吸収体との２層からなる請求項１〜１０いずれかに記載の男性用吸収性物品が提供される。
【００３２】
上記請求項１１記載の発明では、前記吸収体は、１層からなる積繊体か、又は、前記底面部を境として、下層吸収体と上層吸収体の２層からなるものとしている。前記２層構造の吸収体では、下層吸収体及び上層吸収体を両方とも積繊体で構成してもよいし、上層吸収体を積繊体で構成し、下層吸収体をポリマーシートや不織布シートなどで構成してもよい。
【００３３】
請求項１２に係る本発明として、前記吸収体は、前記下層吸収体の繊維密度が前記上層吸収体の繊維密度より高く設定される構成、前記下層吸収体が２層の不織布シート間に高吸水性樹脂が配置されたポリマーシートからなる構成又は前記下層吸収体が親水性の不織布シートからなる構成を備えている請求項１１記載の男性用吸収性物品が提供される。
【００３４】
上記請求項１２記載の発明では、吸収体が下層吸収体と上層吸収体の２層構造からなる場合において、肌側のベタつきを防止するため、下層吸収体に吸収された尿が上層吸収体に移行しにくく、下層吸収体に保持されやすい構成について規定している。
【発明の効果】
【００３５】
以上詳説のとおり本発明によれば、締め付け感がなく、装着性に優れるとともに、吸収効率が良く、漏れが防止できるようになる。
【図面の簡単な説明】
【００３６】
【図１】本発明に係る男性用吸収性物品１の一部破断展開図である。
【図２】図１のII−II線矢視図である。
【図３】図１のIII−III線矢視図である。
【図４】吸収体４の斜視図である。
【図５】吸収体４の断面図（図４のV−V線矢視図）である。
【図６】装着状態における男性用吸収性物品１の断面図である。
【図７】変形例に係る男性用吸収性物品１の平面図である。
【図８】底面部１０の中心位置を示す吸収体４の平面図である。
【図９】吸収体４の各領域を示す平面図である。
【図１０】変形例に係る吸収体４の断面図である。
【図１１】男性用吸収性物品１の裏面図である。
【図１２】吸収体４に収容空間１２を形成する実施形態を示す模式図である。
【発明を実施するための形態】
【００３７】
以下、本発明の実施の形態について図面を参照しながら詳述する。
【００３８】
〔男性用吸収性物品１の基本構成〕
本発明に係る男性用吸収性物品１は、図１〜図３に示されるように、ポリエチレンシート、ポリプロピレンシートなどからなる不透液性裏面シート２と、尿などの体液を速やかに透過させる透液性表面シート３と、これら両シート２，３間に介在された綿状パルプまたは合成パルプなどからなる吸収体４と、この吸収体４の形状保持および拡散性向上のために前記吸収体４の少なくとも肌当接面及び非肌当接面を覆うクレープ紙又は不織布などからなる被包シート５とから構成されている。また、前記吸収体４の周囲において、前記不透液性裏面シート２と透液性表面シート３との外縁部がホットメルトなどの接着剤やヒートシール、超音波シール等の接合手段によって接合され、外周に吸収体４の存在しないフラップ部ｆが形成されている。
【００３９】
以下、さらに前記男性用吸収性物品１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００４０】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高で圧縮復元性が高い点で優れている。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維等の複合繊維を好適に用いることもできる。
【００４１】
〔吸収体〕
以下、前記吸収体４について詳細に説明すると、
前記吸収体４としては、たとえばパルプ中に高吸水性樹脂を混入したもの、或いはパルプ中に化学繊維を混入させるとともに、高吸水性樹脂を混入したものを少なくとも一部に含んでいるのが好ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。また、前記吸収体４として、嵩を小さくできるエアレイド吸収体や、２層の不織布層間に高吸水性樹脂を配置してなるポリマーシート、親水性の不織布などを一部に用いてもよい。前記吸収体４は、図示のように、形状保持、および体液を速やかに拡散させるとともに、一旦吸収した体液の逆戻りを防止するために被包シート５によって覆われるのが望ましい。
【００４２】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００４３】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。
【００４４】
本例のように、吸収体４を覆う被包シート５を設ける場合には、結果的に透液性表面シート３と吸収体４との間に被包シート５が介在することになる。前記被包シート５がクレープ紙からなる場合には、吸収性に優れる前記被包シート５によって尿を速やかに拡散させるとともに、これら尿の逆戻りを防止するようになる。
【００４５】
前記吸収体４及び被包シート５のいずれか一方又は両方は、白色以外の色、好ましくは黒色や灰色など、比較的暗い、明度が小さな色を有しているのが好ましい。本発明は男性用吸収性物品に関するものなので、比較的暗い色を用いることにより男性用として落ち着いた印象を与えるとともに、暗い色の下着に装着したときに目立ちにくくなり、かつ排尿の跡も目立ちにくくなる。着色方法は特に限定されず、適宜の染色方法、或いは着色原料を用いることができる。また、吸収体４及び被包シート５のいずれか一方又は両方に活性炭を含有することにより、着色を施してもよい。これにより、活性炭による消臭効果も付加できるようになる。
【００４６】
前記吸収体４は、図４及び図５に示されるように、外形が円形又は楕円形からなり、肌当接面に、前記吸収体４の中心より周縁側に偏倚した位置において、全周に亘って厚み方向に窪む底面部１０と、前記底面部１０から前記吸収体４の周縁部に向かって肌当接面側に傾斜する傾斜面部１１とによって画成された陰茎の収容空間１２が形成されている。
【００４７】
図５に示されるように、前記収容空間１２の深さＡは、吸収体４の厚みＢより小さな寸法で形成されている（Ａ＜Ｂ）。換言すると、前記収容空間１２は、吸収体４の厚みＢの範囲内に、底面部１０が吸収体４の非肌当接面に達しない深さで形成されている。前記吸収体４の非肌当接面は、前記底面部１０において非肌当接面側に突出するなどの変形が生じることなく、ほぼ一定の状態で形成されている。
【００４８】
前記収容空間１２は、男性用吸収性物品１の装着時に、陰茎が収容可能であり、且つ陰茎が収容空間１２内の所定部位に位置した状態が保持可能な適度な大きさで形成されている。
【００４９】
具体的には、前記吸収体４の厚みＢは、最低１０ｍｍ、好ましくは１０〜２５ｍｍで形成されている。厚みＢが１０ｍｍより薄いと陰茎が収容可能な空間が形成されにくく、厚みＢが厚すぎると、装着感が悪化するとともに、装着したときに股間部が膨出して見栄えが悪くなる。
【００５０】
また、前記収容空間１２の深さＡは、前記吸収体４の厚みＢより小さな寸法で形成され、最低８ｍｍ、好ましくは８〜２０ｍｍで形成されている。深さＡが８ｍｍより小さいと、収容空間１２内に陰茎が収容しにくいとともに、陰茎に圧力がかかりやすく装着感が悪くなる。一方、２０ｍｍより大きいと、陰茎が収容空間１２の所定部位に位置した状態が保持できず、陰茎と男性用吸収性物品１の肌当接面との間に隙間が生じることにより、尿の吸収効率が低下し、漏れにつながるおそれがある。
【００５１】
前記吸収体４の厚みＢ及び収容空間１２の深さＡは、無荷重下における男性用吸収性物品の切断面を撮影した写真から測定することができる。
【００５２】
本男性用吸収性物品１では、図６に示されるように、下着内における通常の陰茎の向きに合わせて、中心から偏倚した位置に形成された底面部１０が陰茎の先端に位置するように、男性用吸収性物品１の装着向きを所定の方向に回転して装着できるようになっている。すなわち、前記吸収体４が円形又は楕円形に形成されているため、どの向きで装着しても外観上の変化がなく、ほぼ一定の装着感が得られるようになっている。そして、男性用吸収性物品１の装着向きを任意の方向に回転して、吸収体４の中心から偏倚した位置に形成された前記収容空間１２の底面部１０を、下着内における通常の陰茎の先端が位置する方向に合わせて配置することにより、人によって異なる陰茎の向きに合わせて男性用吸収性物品１を装着することが可能となる。例えば、図６(A)に示されるように、下着内における通常の陰茎の向きが上向きの人の場合、男性用吸収性物品１を回転して、底面部１０が偏倚する方向を上向きにするとともに、前記底面部１０が陰茎の先端に位置した状態で配置する。また、図６(B)に示されるように、下着内における通常の陰茎の向きが下向きの人の場合、男性用吸収性物品１を回転して、底面部１０が偏倚する方向を下向きにするとともに、前記底面部１０が陰茎の先端に位置した状態で装着する。
【００５３】
このように、下着内における通常の陰茎の向きは人によって異なるが、本男性用吸収性物品１では、人によって異なる陰茎の向きに合わせて男性用吸収性物品１の装着向きを調整しているため、男性用吸収性物品１を装着した状態で、陰茎の締め付け感がなく、装着性に優れるようになる。
【００５４】
また、収容空間１２が吸収体４の厚みＢの範囲内に形成されているため、下着内に男性用吸収性物品１を装着し、下着の締め付け圧力などが加わった状態でも、陰茎を収容するのに十分な大きさの収容空間１２が持続的に形成されやすく、締め付け感がなく、装着性に優れるようになる。
【００５５】
更に、下着内における通常の陰茎の向きに合わせて男性用吸収性物品１を配置することにより、吸収体４の特定の部位（底面部１０）に常に陰茎の先端が位置するため、この陰茎の先端が位置する吸収体４の特定部分又はその周辺に、体液の拡散性を向上させる対策や、吸収効率を向上させる対策を施すことによって、簡単に、吸収効率が向上でき、漏れが防止できるようになる。
【００５６】
前記吸収体４の外形は、図１に示される円形か、図７に示される楕円形で形成されている。前記吸収体４より外側に延出するフラップ部ｆがほぼ一定の幅で形成されるため、前記男性用吸収性物品１の外形も、前記吸収体４の外形と同じように円形又は楕円形で形成されている。これにより、男性用吸収性物品１の装着向きに関係なく、ほぼ一定の装着感が得られるようになる。
【００５７】
図５に示されるように、前記吸収体４が円形からなる場合の直径Ｃは、８０〜１５０ｍｍとするのが好ましい。８０ｍｍより小さいと陰茎を覆うことができず、１５０ｍｍより大きいと装着感や見栄えが悪化するおそれがある。
【００５８】
前記吸収体４が楕円形からなる場合には、図７に示されるように、短軸寸法Ｃａを８０〜１５０ｍｍとするのが好ましい。また、短軸寸法Ｃａに対する長軸寸法Ｃｂの比率は、１を超え１．２以下に形成するのが好ましい（１＜Ｃｂ／Ｃａ≦１．２）。この範囲の楕円形で形成することにより、楕円形の短軸と長軸の方向を気にせず、男性用吸収性物品１の装着向きを任意に回転させることができ、いずれの向きで装着してもほぼ一定の装着感が得られるようになる。
【００５９】
前記吸収体４の主要部は、積繊体で構成するのが望ましい。前記積繊体とは、パルプ繊維をシート状にしたパルプシートを解繊機で解繊（粉砕）し、この解繊物を空気流に乗せて飛ばし、必要に応じて高吸水性樹脂を混合し、この混合物を吸収体型内に積繊（集積）して得られたものである。また、前記吸収体４の主要部とは、前記収容空間１２を形成するのに必要な部分を構成するものであり、少なくとも前記底面部１０より肌当接面側に存在する部分を含むものである。すなわち、吸収体４の主要部が積繊体で構成されているという要件は、前記収容空間１２が、不織布シートなどにエンボス加工を施すことにより形成されたものではなく、積繊体からなる吸収体で形成されたものであることを明確にするためのものである。前記吸収体４の主要部を積繊体で構成することにより、陰茎を収容するのに十分な大きさの収容空間１２が確実に得られるようになる。
【００６０】
前記収容空間１２について更に詳しく説明すると、
前記収容空間１２は、男性用吸収性物品１の装着時に陰茎が収容される空間であり、図４及び図５に示されるように、吸収体４の肌当接面に形成された非肌当接面側に（厚み方向に）窪む窪み部が形成されるとともに、この吸収体４の窪み部にほぼ沿って透液性表面シート３が配設されたものである。実際の男性用吸収性物品１では、吸収体４の窪み部に沿って透液性表面シート３が配設された空間部分に陰茎が収容されるが、前記透液性表面シート３は前記吸収体４の窪み部にほぼ沿って配置されるものであり、吸収体４の窪み部の形状に殆ど影響を与えるものではないため、本発明では吸収体４の窪み部自体も収容空間１２と称している。
【００６１】
前記収容空間１２は、前記底面部１０を底部とするとともに、前記底面部１０から吸収体４の周縁部に向かって肌当接面側に傾斜する傾斜面部１１によって周囲が囲まれた空間部分である。前記収容空間１２の肌当接面側は外部に開放している。
【００６２】
前記底面部１０は、収容空間１２の中で最も非肌当接面側に位置する部分であり、男性用吸収性物品１の装着時に陰茎の先端が位置する部分である。
【００６３】
前記底面部１０は、全周に亘って非肌当接面側に窪んでいる。つまり、前記底面部１０は、前記吸収体４より小さな面積で形成され、前記吸収体４の周縁に接続しない吸収体４の中間部に形成されている。前記底面部１０の周囲は、全周に亘って前記傾斜面部１１で囲まれている。
【００６４】
前記底面部１０は、円形又は楕円形の平面形状で形成され、中心が吸収体４の中心より吸収体４の周縁側に偏倚した位置、すなわち底面部１０の中心が吸収体４の中心から外れた位置に形成されている。底面部１０の中心は、図８に示されるように、吸収体４の中心近傍から吸収体４の半径の２／３の範囲（ハッチング及びクロスハッチングを付した範囲）に位置するのが好ましい。換言すると、吸収体４の中心に対する底面部１０の中心の偏心量は、０より大きく吸収体４の半径の２／３以下とするのが好ましい。より好ましくは、吸収体４の中心から半径の１／３〜２／３だけ離間した範囲（クロスハッチングを付した範囲）に位置するのがよい。吸収体４の中心に対する底面部１０の偏心量を最適化することにより、前記底面部１０に陰茎の先端が位置した、収容空間１２内における陰茎の最適配置状態が維持できるようになる。
【００６５】
前記底面部１０の大きさは、陰茎の先端が保持できる大きさであればよいが、図５に示されるように、直径Ｄが１０〜４０ｍｍ程度とするのが好ましい。
【００６６】
前記底面部１０は、図示例のように、ほぼ平坦に形成してもよいし、図示しないが、陰茎の先端をフィットしやすくするため非肌当接面側又は肌当接面側に膨出した曲面状に形成してもよい。
【００６７】
また、底面部１０には、所定のパターンでエンボス溝を設けてもよい。例えば、底面部１０の周縁に沿って連続線又は間欠線からなるエンボス溝を設けたり、底面部１０から特定の方向への尿の拡散を促進するため、複数の直線状のエンボス溝を放射状に設けたりすることが可能である。
【００６８】
前記傾斜面部１１は、前記底面部１０の周縁から連続して、前記底面部１０の全周に亘って、吸収体４の周縁部に向けて肌当接面側に傾斜して形成された部分である。前記傾斜面部１１の肌当接面側の端縁は、前記吸収体４の周縁であってもよいし、前記吸収体４の周縁より内側位置であってもよい。後者の場合、前記吸収体４の周縁から前記傾斜面部１１の端縁までの間は、肌当接面に対して平坦な平坦部とするのが好ましく、この平坦部が全周に亘ってほぼ等幅に形成されているのが好ましい。
【００６９】
前記底面部１０が偏倚した側の前記傾斜面部１１の傾斜角より、これと反対側の前記傾斜面部１１の傾斜角の方が緩やかな角度で形成するのが好ましい。すなわち、図５に示されるように、吸収体４の中心及び底面部１０の中心を通る断面視で、吸収体４の中心側（図５に示す底面部１０の左側）の傾斜面部１１ａの傾斜角αａの方が、底面部１０が偏倚した側（図５に示す底面部１０の右側）の傾斜面部１１ｂの傾斜角αｂより小さく形成するのがよい（αａ＜αｂ）。なお、前記傾斜角αａ、αｂはそれぞれ、傾斜面部１１の両端を結んだ直線と、前記底面部１０の外側延長線との成す角である。前記傾斜角は、図５に示される吸収体４の中心及び底面部１０の中心を通る断面視で、底面部１０が偏倚した側と反対側（図５に示す底面部１０の左側）の傾斜面部１１ａで最小となり、底面部１０が偏倚した側（図５に示す底面部１０の右側）の傾斜面部１１ｂで最大となっており、これらの中間部では、底面部１０が偏倚した側に向かうに従って漸次大きくなるように形成されている。
【００７０】
また、前記底面部１０が偏倚した側の前記傾斜面部１１の斜面の長さより、これと反対側の前記傾斜面部１１の斜面の長さの方が長く形成されている。前記斜面の長さとは、傾斜面部１１の底面部１０側の端部から吸収体４の周縁部側の端部までの長さである。前記斜面の長さは、図５に示される吸収体４の中心及び底面部１０の中心を通る断面視で、底面部１０が偏倚した側と反対側（図５に示す底面部１０の左側）の傾斜面部１１ａで最大となり、底面部１０が偏倚した側（図５に示す底面部１０の右側）の傾斜面部１１ｂで最小となっており、これらの中間部では、底面部１０が偏倚した側に向かうに従って漸次小さくなるように形成されている。
【００７１】
男性用吸収性物品１の装着状態では、図６に示されるように、前記収容空間１２に対して、陰茎は、先端が前記底面部１０に位置するとともに、基端側が前記傾斜面部１１のうち前記傾斜角が緩やかで且つ前記斜面の長さが長い側に配置される。このため、男性用吸収性物品１の装着状態で、陰茎が傾斜角が緩やかな傾斜面部１１によって覆われるため、下着内における通常の位置で保持されやすくなる。また、これによって、排尿口が前記傾斜面部１１の傾斜角が大きな部分に向くように配置されるため、尿を傾斜角が大きな傾斜面部１１でほぼ直角に受け止めることができ、外部への漏れがより確実に防止できるようになる。
【００７２】
図５に示されるように、前記傾斜面部１１のうち前記斜面の長さが最長となる傾斜面部１１ａにおいて、垂直方向の長さ（底面部１０の深さＡ）と水平方向の長さＥとの比は、Ａ：Ｅ＝１：４〜１０とするのが好ましい。これにより、この領域の傾斜面部１１ａが、なだらかな斜面に陰茎を沿わせやすい傾斜角で形成されるようになる。
【００７３】
前記傾斜面部１１は、平坦な平面状や非肌当接面側に膨出する曲面状に形成してもよいが、肌当接面側に膨出する曲面状に形成するのが好ましい。これにより、クッション感が増し、陰茎に対する当たりが柔らかくなる。肌当接面側に膨出する曲面状に形成するのは、傾斜面部１１の全面でもよいし一部でもよい。一部の場合は、装着時に陰茎が配置される側、すなわち前記底面部１０が偏倚した側と反対側の傾斜面部１１（図５に示す１１ａ及びその周辺）を、肌当接面側に膨出する曲面状に形成するのが好ましい。また、前記底面部１０が偏倚した側の傾斜面部１１（図５に示す１１ｂ及びその周辺）は、陰茎の先端が当接した際のクッション感を向上させる観点からは肌当接面側に膨出する曲面状に形成するのが好ましいが、排尿時の尿を受け止める点では、平面状又は非肌当接面側に膨出する曲面状に形成することも可能である。
【００７４】
前記吸収体４の非肌当接面は、平坦な平面状に形成してもよいが、外側に膨出する曲面状に形成するのが好ましい。これにより、男性用吸収性物品１を装着しているのが外部から目立ちにくくなる。なお、本男性用吸収性物品１では、吸収体４の側面も外側に膨出する曲面状に形成されることにより、吸収体４の側面から底面（非肌当接面）にかけて連続的な曲面状に形成されている。
【００７５】
本男性用吸収性物品１では、図１に示されるように、前記底面部１０が偏倚した側と反対側の傾斜面部１１に、前記底面部１０又はその近傍から吸収体４の周縁部に向けて延びる１又は複数のエンボス溝１３を形成するのが好ましい。前記エンボス溝１３は、少なくとも前記吸収体４を非肌当接面側に窪ませた凹溝である。前記エンボス溝１３は、透液性表面シート３の肌当接面側からの圧搾により、透液性表面シート３から吸収体４にかけて一体的に窪ませたものでもよいし、前記吸収体４又は前記吸収体４の肌当接面を覆う被包シート５の肌当接面側からの圧搾により、吸収体４のみを窪ませたもの又は被包シート５及び吸収体４を一体的に窪ませたものでもよい。
【００７６】
前記エンボス溝１３を設けることにより、収容空間１２の底面部１０に排出された尿を、エンボス溝１３に沿って、前記底面部１０が偏倚した側と反対側の吸収体部分に素早く拡散させることができるようになる。これによって、吸収体４の特定の部分に尿が集中せず、吸収効率の向上及び漏れ防止を図ることができる。
【００７７】
前記エンボス溝１３は、図１に示されるように、直線で形成するのが好ましいが、曲線や波線、折れ線で形成してもよい。また、前記エンボス溝１３は、連続線でもよいし、エンボス部と非エンボス部とを交互に配置した間欠線で形成してもよい。尿の拡散を促進する観点から、図示例のように、連続する直線とするのが好ましい。
【００７８】
前記エンボス溝１３を複数本設ける場合、図１に示されるように、底面部１０から吸収体の周縁部に向けて放射状に配置するのが好ましい。放射状に配置することにより、底面部１０に吸収された尿が底面部１０が偏倚する側と反対側の吸収体部分においてより広い範囲に拡散するようになる。
【００７９】
図１に示されるように、前記エンボス溝１３と底面部１０との離隔距離Ｆは、底面部１０に溜まった尿をエンボス溝１３に沿って効率よく拡散させるため、０〜３ｍｍとするのが好ましい。エンボス溝１３の長さＧは、吸収体４のより広い範囲に尿を拡散させるため、図５に示されるように、前記傾斜面部１１のうち前記斜面の長さが最長となる傾斜面部１１ａにおける水平方向の長さＥに対して、６０〜１００％とするのが好ましい。また、前記エンボス溝１３の溝幅は、細すぎると尿が拡散しにくく、太すぎると吸収体が硬くなって装着感が悪化するため、１〜１０ｍｍとするのが好ましい。前記エンボス溝１３の数は、多いほど尿の拡散が促進できるが、多すぎると吸収体が硬くなって装着感が悪化するため、１〜１３本とするのが好ましい。前記エンボス溝１３を複数本設ける場合、隣り合うエンボス溝１３、１３同士の間隔Ｈは、大きすぎると尿の拡散性が低下し、小さすぎると吸収体が硬くなって装着感が悪化するため、最も狭い部分で５〜５０ｍｍとするのが好ましい。
【００８０】
次いで、尿をより効率的に拡散させるための手段について、２つの具体例を挙げて説明する。まず第１の手段として、前記吸収体４がパルプと高吸水性樹脂とを含む場合において、図９に示されるように、前記底面部１０が偏倚した側と反対側の吸収体部分１４（図９においてハッチングを付した部分）は、高吸水性樹脂よりパルプの方が多く存在し、前記底面部１０が偏倚した側の吸収体部分１５（図９においてクロスハッチングを付した部分）は、パルプより高吸水性樹脂の方が多く存在する構成とすることができる。これにより、パルプリッチな吸収体部分１４では尿が素早く拡散でき、ポリマーリッチな吸収体部分１５では陰茎が下向きとなる状態で使用した場合でも高吸水性樹脂が多くの尿をしっかりと保持し、確実に漏れを防ぐことができるようになる。なお、前記パルプと高吸水性樹脂との配合割合は、それぞれの重量を基準にしたものである。
【００８１】
尿を効率的に拡散させる第２の手段として、前記底面部１０が偏倚した側と反対側の吸収体部分において、前記底面部１０寄り部分より吸収体４の周縁部寄り部分の方が繊維密度が高く形成される構成とすることができる。これによって、繊維の密度差に伴う液の毛管作用により、前記底面部１０が偏倚した側と反対側の吸収体部分において、尿が底面部１０から吸収体４の周縁部に向けて拡散しやすくなる。
【００８２】
次に、肌当接面側に尿が残ることによるベタつきを防止するため、吸収体４に吸収された尿を非肌当接面側に保持しやすくする手段について説明する。まず第１の手段としては、前記エンボス溝１３を吸収体４の非肌当接面側から肌当接面側に向けて窪ませることにより、圧搾による繊維の高密度領域を非肌当接面側に形成し、繊維の密度差に伴う液の毛管作用によって尿を非肌当接面側に移行させ、肌当接面側のベタつきを防止することができる。
【００８３】
また、第２の手段としては、前記吸収体４を底面部１０より下層側に配置される下層吸収体４Ａと、底面部１０より上層側に配置される上層吸収体４Ｂとの２層構造（図１０参照。）とした場合において、下層吸収体４Ａの繊維密度を上層吸収体４Ｂの繊維密度より大きくする構成とすることができる。液の毛管作用により繊維密度が大きな領域から小さな領域への液の移行が抑制されるため、下層吸収体４Ａから上層吸収体４Ｂに尿が移行しにくくし、肌当接面側のベタつきが防止できるようになる。
【００８４】
ベタつき防止の第３の手段としては、前記吸収体４を前記下層吸収体４Ａと上層吸収体４Ｂとの２層構造とした場合において、前記下層吸収体４Ａとして、２層の不織布シート間に高吸水性樹脂が配置されたパルプを含まないパルプレスのポリマーシートを用いることにより、下層吸収体４Ａに尿を保持しやすくし、上層吸収体４Ｂに尿が移行しにくくした構成とすることができる。
【００８５】
ベタつき防止の第４の手段としては、前記吸収体４を前記下層吸収体４Ａと上層吸収体４Ｂとの２層構造とした場合において、前記下層吸収体４Ａとして、親水性の不織布シートを用いることにより、底面部１０に排出された尿が下層吸収体４Ａを通じて平面方向に拡散し、且つ下層吸収体４Ａに尿を保持しやすくした構成とすることができる。
【００８６】
次に、ズレ止め粘着剤層１６について説明する。図１１に示されるように、男性用吸収性物品１の非肌当接面（不透液性裏面シート２の外面）には、男性用吸収性物品１を下着に固定するためのズレ止め粘着剤層１６が設けられている。前記ズレ止め粘着剤層１６は、本男性用吸収性物品１が人によって異なる陰茎の向きに合わせて装着向きを任意に設定するものであるため、男性用吸収性物品１の非肌当接面に周方向に沿って均等に配置するのが好ましい。これにより、どの向きで装着しても安定して下着に固定することができるようになる。前記ズレ止め粘着剤層１６は、周方向に沿って連続する環状に形成してもよいし、図１１に示されるように周方向に沿って間欠的な離散状に形成してもよい。
【００８７】
具体的な実施形態として、図１１(A)では、男性用吸収性物品１の外周に沿う帯状のズレ止め粘着剤層１６が左右にそれぞれ配置され、間欠部が上下にそれぞれ配置されている。本実施形態では、男性用吸収性物品１を周方向に８等分する分割線１７、１７…のうち、左右方向及び斜め方向に延びる左右それぞれ３本ずつの分割線１７…に跨って、左右にそれぞれズレ止め粘着剤層１６が配置され、上下方向に延びる分割線１７では間欠部となっている。
【００８８】
また、図１１(B)では、男性用吸収性物品１の外周に沿う帯状の４つのズレ止め粘着剤層１６が間欠的に配置されている。本実施形態では、男性用吸収性物品１を周方向に８等分する分割線１７、１７…のうち、隣り合う分割線１７、１７同士で、これらの分割線１７、１７間に跨るズレ止め粘着剤層１６の配置部と、間欠部とが交互に配置されている。
【００８９】
図１１(C)では、周方向に沿って円形の８つのズレ止め粘着剤層１６が間欠的に配置されている。本実施形態では、男性用吸収性物品１を周方向に８等分する分割線１７上にそれぞれ円形のズレ止め粘着剤層１６が配置されている。
【００９０】
次に、前記男性用吸収性物品１の製造方法のうち、前記収容空間１２を形成する手段について説明する。第１の手段としては、吸収体４を所定の形状で積繊することによって前記収容空間１２を形成することができる。積繊によって所定形状の吸収体４を製造した後、肌当接面側に透液性表面シート３を積層した状態で、透液性表面シート３の外面側から前記底面部１０に対しエンボスを施すことによって、透液性表面シート３を収容空間１２に沿って配置する。
【００９１】
第２の手段としては、図１２に示されるように、肌当接面が平坦な吸収体に対し、先端が収容空間１２の形状を成したエンボス凸部によってエンボスを施すことにより、吸収体４の肌当接面に所定形状の収容空間１２を形成することができる。前記エンボスは、吸収体４の肌当接面側に透液性表面シート３を積層した状態で、透液性表面シート３の外面側から施すことによって、吸収体４に収容空間１２を形成すると同時に、透液性表面シート３を収容空間１２に沿って配置するようにしてもよい。
【００９２】
第３の手段としては、図１０に示されるように、吸収体４が、前記底面部１０より下層側に配置される下層吸収体４Ａと、前記底面部１０より上層側に配置される上層吸収体４Ｂとの２層からなる積層構造によって構成され、上層吸収体４Ｂに前記底面部１０に対応する開口が形成されるとともに、前記傾斜面部１１に対応する傾斜面が形成された構成とすることができる。前記下層吸収体４Ａは、積繊により形成したものでもよいし、上述の通り、ポリマーシート又は親水性の不織布シートからなるものでもよい。
【符号の説明】
【００９３】
１…男性用吸収性物品、２…不透液性裏面シート、３…透液性表面シート、４…吸収体、５…被包シート、１０…底面部、１１…傾斜面部、１２…収容空間、１３…エンボス溝、１６…ズレ止め粘着剤層
【図１】
2019058236.tif 000003
【図２】
2019058236.tif 000004
【図３】
2019058236.tif 000005
【図４】
2019058236.tif 000006
【図５】
2019058236.tif 000007
【図６】
2019058236.tif 000008
【図７】
2019058236.tif 000009
【図８】
2019058236.tif 000010
【図９】
2019058236.tif 000011
【図１０】
2019058236.tif 000012
【図１１】
2019058236.tif 000013
【図１２】
2019058236.tif 000014